(57)【要約】【課題】市販されている所定の形態を有した数円／枚のポリエチレン製袋を２Ｌマリネリ容器の内装袋として使用することにより、安価で効率的に定量精度低下の要因となる空隙量を５％程度に抑えるとともに、試料保管のため内装袋に充填したまま一旦２Ｌマリネリ容器から取り出しても、再度２Ｌマリネリ容器に再現良く入れることを可能とするガンマ線放射能測定用の飲料水試料を充填する方法を提供する。【解決手段】Ｇｅ半導体検出器のセンサー部分がすっぽり入る様なくぼみを設けた、測定に用いられるマリネリ容器の、汚染防止のための内装袋であって、添加成分の無いポリエチレンを材質とし、膜厚が約１０μｍ以下、丸底の円柱状で、かつ当該袋を２重にした。【選択図】図１
2014066557.tif 000002
【特許請求の範囲】
【請求項１】
Ｇｅ半導体検出器のセンサー部分がすっぽり入る様なくぼみを設けた、測定に用いられるマリネリ容器の、汚染防止のための内装袋であって、
添加成分の無いポリエチレンを材質とし、膜厚が約１０μｍ以下、丸底の円柱状で、かつ当該袋を２重にしたことを特徴とするマリネリ容器用内装袋。
【請求項２】
請求項１に記載のマリネリ容器用内装袋を、マリネリ容器内に装着するための治具であって、
平板形状で、前記マリネリ容器の内部の断面形状に成型され、前記マリネリ容器用内装袋を、前記マリネリ容器内に押し込めることを特徴とする治具。
【請求項３】
前記治具の材質が、内装袋の材質であるポリエチレンと帯電列が近く静電気の発生が抑えられた材質であることを特徴とする請求項２に記載の治具。
【請求項４】
前記治具の材質が、発泡ポリスチレンであることを特徴とする請求項２または請求項３に記載の治具。
【請求項５】
マリネリ容器内に測定試料を充填するための方法であって、
請求項１に記載のマリネリ容器用内装袋と、請求項２〜４のいずれか一項に記載の治具を用いることを特徴とする測定試料の充填方法。
【発明の詳細な説明】
【技術分野】
【０００１】
本発明は、２Ｌマリネリ容器を用いてゲルマニウム半導体検出器により、放射能を測定を行う際、容器の汚染防止のため使用する内装袋に関し、安価で効率的であり、且つ精度の高い定量分析を可能とするマリネリ容器用内装袋、治具及び測定試料の充填方法である。
【背景技術】
【０００２】
２０１１年３月１１日に発生した東日本大震災及び巨大津波は、被災地に大惨事をもたらしただけでなく、福島第１原子力発電所の事故を誘発させ、何十年におよぶであろう深刻な放射能問題も引き起こした。
【０００３】
その中で、昭和６１年に発生したチェルノブイリ原子力発電所事故に伴い、斉一性のある放射能評価データを得るため、関係省庁が規格化し発行してきたマニュアル（公定法）を基に、各自治体や民間企業、団体が各種食品や環境中の大気や水、土壌等について放射能汚染の実態調査を行い、モニターを続けている。
【０００４】
また政府は、福島第１原発事故以降、人体に直接影響を与える主に食品や飲料水等について、放射性ヨウ素と放射性セシウムの暫定規制値、そして平成２４年４月より放射性セシウムの新基準値を定め規制を行なっている。
【０００５】
この新基準値では、各食品群の中でも特に、飲料水の基準が厳しく、１０Ｂｑ／ｋｇと、他の食品群に比べ１／５〜１／１０低く設定されている。理由としては、飲料水は日常的に人の摂取量が多いため、基準値を低く設定し健康に及ぼす内部被曝量を抑えるためと考えられる。
【０００６】
放射能測定器は主にサーベイメーターの線量測定器とガンマ線スペクトロメーターの２種類に分けられるが、どのエネルギーのガンマ線（＝核種）がどの程度あるか（定量）を測定する場合は、後者のガンマ線スペクトロメーターで測定・解析しなければならない。
【０００７】
ガンマ線スペクトロメーターは主にＮａＩ（Ｔｌ）シンチレーション検出器とゲルマニウム半導体検出器（以下、Ｇｅ検出器と略す）があるが、エネルギー分解能や検出効率は後者のＧｅ検出器の方が数十倍優れており定量精度が高い。したがって、基準値は主にＧｅ検出器による定量値が指標となっており、前処理や充填方法等を含む測定方法について、関係省庁が規格化した公定法が発行され、飲料水の測定方法もこの中に含まれている。
【０００８】
Ｇｅ検出器による放射能測定は、試料容器として大容量の２Ｌマリネリ容器と約１００ｍｌが限度のＵ‐８容器の主に２種類あり、公定法もこの２種類の容器毎に規格化されているが、ガンマ線の検出感度は試料量が多い程高くなり測定時間も短くて済むため、飲料水の様に規制値が厳しく試料量の制限が無い試料の場合は、２Ｌマリネリ容器を使用することが多い。
【０００９】
また、ガンマ線放射性核種の定量分析を行う場合は、予め国家標準にトレーサブルな校正結果を示すＪＣＳＳ（Ｊａｐａｎ  Ｃａｌｉｂｒａｔｉｏｎ  Ｓｅｒｖｉｃｅ  Ｓｙｓｔｅｍ）校正証明書、或いは登録事業者である（社）日本アイソトープ協会が発行するＪＲＩＡ（Ｊａｐａｎ  Ｒａｄｉｏｉｓｏｔｏｐｅ  Ａｓｓｏｃｉａｔｉｏｎ）校正証明書が付いた標準体積線源で効率校正を行う必要がある。
【００１０】
効率校正は、測定に使用するＧｅ検出器の各ガンマ線放射性核種に対する検出効率を決める定量的な校正である。標準体積線源は、何れの容器タイプ共に混合９核種が均一担持されたアルミナ粉を試料として、２Ｌマリネリ容器の場合では、２Ｌ容積標線まで充填されている。
【００１１】
そして、この標準体積線源で効率校正を行ったＧｅ検出器により試料を高精度に測定するには、測定試料が効率校正で使った標準体積線源と同様に２Ｌマリネリ容器内で均一に分散され、２Ｌ容積標線まで充填されていることが望ましい。
【００１２】
ガンマ線放射性核種の定量分析方法については、文科省マニュアルにおいて詳細に記載されているが、近年の測定装置付属の解析ソフトウェアはこれに準拠した計算プログラムが組み込まれており、例えば、効率校正を行った材質や密度に対して測定試料が異なったとしても、解析ソフトの画面で設定・入力すれば補正してくれる仕組みになっている。
【００１３】
そのため、標準試料のマトリクス（材質）はアルミナなので水試料と材質が異なり自己吸収の差が生じるが、解析ソフトの設定項目で各材質を選択すれば自動的に補正してくれる。
【００１４】
ただし、測定試料が２Ｌマリネリ容器の容積標線とは異なる位置で充填されていたり、測定試料中の空隙が大きかったり不均一に偏在していると通常放射線量は距離の二乗に反比例するので、正確な放射能濃度を求めることができなくなる。
【００１５】
したがって、Ｇｅ検出器で精度の高い測定値を得るには効率校正に用いた標準試料と同一条件で測定する必要があり、効率校正で用いた標準試料と同じ質量約２０００ｇの水試料を２Ｌマリネリ容器に内装袋を使用せずそのまま充填すれば２Ｌ容積標線付近まで効率校正用試料と同じ均一な試料となる。
【００１６】
しかし、試料を直接２Ｌマリネリ容器に充填すると、容器が試料で汚れたり、試料に放射能があった場合は放射能の汚染も発生し、２Ｌマリネリ容器は２〜３万円／個と高価なため繰り返し用途のものであることから、測定終了後に洗浄や除染が必要となる。
【００１７】
仮に僅かでも放射能汚染が残存していると、次回の測定結果に影響を与えて測定結果の信頼性が低くなるので、洗浄・除染等の管理方法が難しい。そのため、公定法では汚染防止の観点から、２Ｌマリネリ容器に内装袋を装着して標準試料とほぼ同様に充填する方法も記載されているが、内装袋についての規定は特に定められていない。
【００１８】
したがって、民間の分析機関、或いは公共の試験所等において実際に２Ｌマリネリ容器を使ってＧｅ検出器による放射能測定する場合、内装袋を装着してその中に試料を充填していることが多い。
【００１９】
ただし、その際の注意事項として公定法でも記載されていることは、空隙を可能な限り減らすことである。すなわち空隙があると、容器内の試料が不均一な状態となり、特に飲料水の場合は試料中の空隙の心配は無いが、肉類や穀類の様な固形物では無いため試料の押し込みができず、容器底周辺の壁と内装袋の間に大きな空隙が生じ易い。この場合、Ｇｅ検出器と試料の距離が空隙の無い標準試料測定の時よりも大きくなり、定量精度が低くなる。
【００２０】
そこで、空隙量をできるだけ減らせる様に２Ｌマリネリ容器の内部形状に成形された専用袋が市販されており、従来２Ｌマリネリ容器に試料を充填する場合は、その専用袋を内装袋として使用していることが多い。
【００２１】
２Ｌマリネリ容器専用袋としては、以前から市販されているポリ塩化ビニル（ＰＶＣ）製の“ビニールパック”や、最近はポリエチレン製の専用袋も市販される様になった（特許文献１）。
【００２２】
しかしながら、ＰＶＣ製の専用袋には軟質化に必要な可塑剤や金属系の安定剤、さらに２Ｌマリネリ容器内へ装着し易くするためタルク等のアンチブロッキング剤も添加されているため、２Ｌマリネリ容器に汚れが発生し洗浄の必要があった。
【００２３】
また、マリネリ容器の内部形状は底面中央部が内側へ凸状に張り出し、その凸部にＧｅ検出器が入り込む様な構造の円筒状容器のため、専用袋と称するものは全て、その特異的な形状に融着等による製袋、或いは一体成形されており、ＰＶＣ製のもので数千円／枚、ポリエチレン製のものでは数百円／枚の価格であるが、汚染や精度の観点から繰り返しの使用ができない１回使用の使い捨てであるため、安価とは言い難かった。
【００２４】
また、測定後に試料充填された専用袋を２Ｌマリネリ容器から一旦取り出すと、２Ｌマリネリ容器形状になっている専用袋の底面が、試料の自重により元々の形状とは逆の外側へ凸状に張り出し変化するため、再度２Ｌマリネリ容器に戻すことが不可能であり、専用袋に充填した状態で保管しても、再測定する際は、新しい専用袋に入れ替える必要があった。そのため、測定にかかわる再現性が低いという課題を有していた。
【００２５】
さらに、市販のＰＶＣ製の専用袋の膜厚は数百μｍ、ポリエチレン製の専用袋の膜厚は５０μｍ以上あるので、固形物の場合は押し込められるが飲料水の場合は自重でしか２Ｌマリネリ容器に内装袋を密着できないため、空隙も試料量に対して５〜１０％程度は発生していた。
【先行技術文献】
【特許文献】
【００２６】
【特許文献１】特願２０１１−１８１１６２号公報
【発明の概要】
【発明が解決しようとする課題】
【００２７】
本発明は、上記の技術的背景を考慮してなされたものであり、市販されている所定の形態を有した数円／枚のポリエチレン製袋を２Ｌマリネリ容器の内装袋として使用することにより、安価で効率的に定量精度低下の要因となる空隙量を５％程度に抑えるとともに、試料保管のため内装袋に充填したまま一旦２Ｌマリネリ容器から取り出しても、再度２Ｌマリネリ容器に再現良く入れることを可能とするガンマ線放射能測定用の飲料水試料を充填する方法を提供することを目的とする。
【課題を解決するための手段】
【００２８】
上記の課題を解決するための手段として、請求項１に記載の発明は、Ｇｅ半導体検出器のセンサー部分がすっぽり入る様なくぼみを設けた、測定に用いられるマリネリ容器の、汚染防止のための内装袋であって、
添加成分の無いポリエチレンを材質とし、膜厚が約１０μｍ以下、丸底の円柱状で、かつ当該袋を２重にしたことを特徴とするマリネリ容器用内装袋である。
【００２９】
また、請求項２に記載の発明は、請求項１に記載のマリネリ容器用内装袋を、マリネリ容器内に装着するための治具であって、
平板形状で、前記マリネリ容器の内部の断面形状に成型され、前記マリネリ容器用内装袋を、前記マリネリ容器内に押し込めることを特徴とする治具である。
【００３０】
また、請求項３に記載の発明は、前記治具の材質が、内装袋の材質であるポリエチレンと帯電列が近く静電気の発生が抑えられた材質であることを特徴とする請求項２に記載の治具である。
【００３１】
また、請求項４に記載の発明は、前記治具の材質が、発泡ポリスチレンであることを特徴とする請求項２または請求項３に記載の治具である。
【００３２】
また、請求項５に記載の発明は、マリネリ容器内に測定試料を充填するための方法であって、
請求項１に記載のマリネリ容器用内装袋と、請求項２〜４のいずれか一項に記載の治具を用いることを特徴とする測定試料の充填方法である。
【発明の効果】
【００３３】
以上の様に、本発明のガンマ線放射能測定用の飲料水試料を充填する方法によれば、飲料水試料を充填した際の空隙量を５％程度に抑えるとともに、試料保管等のため一旦２Ｌマリネリ容器から取り出しても、内装袋に充填したままの状態で再度２Ｌマリネリ容器に再現良く入れることを可能する利点を有している。
【図面の簡単な説明】
【００３４】
【図１】実施例２で使用した本発明にかかわる内装ポリエチレン袋と飲料水試料を充填した２Ｌマリネリ容器である。
【図２】本発明にかかわる内装ポリエチレン袋を、マリネリ容器内に治具を用いて装着し、飲料水試料を充填した状態を示した概念図である。
【図３】実施例１で使用した本発明にかかわる内装ポリエチレン袋と飲料水試料を充填した２Ｌマリネリ容器である。
【図４】内装ポリエチレン袋を、マリネリ容器内に治具を用いずに装着し、飲料水試料を充填し際、空隙が発生した状態を示した概念図である。
【発明を実施するための形態】
【００３５】
以下本発明を実施するための形態を、詳細に説明する。本発明者が鋭意検討した結果、本発明に係る２Ｌマリネリ容器の内装袋としては、２Ｌマリネリ容器の底面中心部が内側に凸状の円筒形であることからできる限り空隙量を減らすため、容器にフィットし易い丸底面タイプのもので、袋の膜厚が薄く、添加剤が無いものが適していることを見出した。
【００３６】
より具体的には、一般的なインフレーション成形により製袋した市販のポリエチレン製の袋ではあるが、底面部が丸底タイプのものであり、袋の膜厚は１０μｍ以下のものが、適している。なぜなら、通常の市販ポリエチレン袋の底面部は二折り底タイプであり、これであると２Ｌマリネリ容器内部の特異的な構造にフィットせず、試料充填した時の空隙量が多い。
【００３７】
また、袋の膜厚が１０μｍ以上では充填した水試料の自重による２Ｌマリネリ容器内壁への追随性が低下して空隙量が多くなる。また、内装袋のポリエチレンの種類は問わないが、１０μｍと膜厚が薄いので、大抵高密度ポリエチレンが使用されている。さらに、ポリエチレン袋に炭酸カルシウムを添加したものも市販されているが、透明性が低下し２Ｌマリネリ容器に内装して水試料を充填する際の水位の確認が困難になる点と、剛性が付与され、やはり水試料の自重による２Ｌマリネリ容器内壁への追随性が低下して空隙量が多くなるので好ましく無い。
【００３８】
ポリエチレン袋の容量タイプとしては、約２Ｌの水試料を充填するが、２Ｌマリネリ容
器の特殊な底面構造と、水試料を充填後に上部に出ている余った袋部分で結んだりクリップで留めたりして密封させるので、１５Ｌ以上で最大でも３０Ｌ容量タイプのものが好ましい。
【００３９】
ただし、１０μｍ程度の膜厚であると内装袋が破袋して水試料が漏れる危険性がある。そこで、本発明では１０μｍ厚のポリエチレン袋を２重にすることにより水漏れによる２Ｌマリネリ容器への汚染を防止した。この場合２重にしても、１枚毎が独立しているので、水試料の自重による２Ｌマリネリ容器内壁への追随性は１枚の時と同じで良好となり、空隙の増加は少なく抑えられる。
【００４０】
さらに、底面部が丸底タイプであるため、試料保管等のため内装袋に充填したまま、一旦２Ｌマリネリ容器から取り出しても、再度２Ｌマリネリ容器に再現良く入れることを可能とする利点を有している。
【００４１】
以上の様な本発明にかかわるポリエチレン製袋は、数円／枚で市販されているので、１測定１回使用の使い捨てであっても、コスト的な負担は非常に低い。
【００４２】
次に、２重の内装袋内に入れて２Ｌマリネリ容器内に押し込むための治具（２Ｌマリネリ容器の内部形状に成形）は、装着時の内装袋に発生するシワ等を低減し、水試料の充填をスムーズに行なって空隙量を減らすためのものである。そのため、内装袋の材質であるポリエチレンと治具の間で静電気が発生すると、治具を離す際にポリエチレン袋が成形物にくっ付いてしまい２Ｌマリネリ容器との装着がうまくできなくなってしまう。
【００４３】
そこで、治具の材質は静電気の発生が低くなる様にポリエチレンと帯電列の近い材質が好ましく、例えば同じポリエチレン、或いはポリスチレン、ポリウレタン、塩化ビニル、塩化ビニリデン、セルロイド、ビニロン等の素材が挙げられるが、成形加工の面から発泡ポリスチレンや発泡ポリエチレン、或いはポリウレタンフォーム、特に発泡ポリスチレンが加工のし易さや価格的にも安価で好ましい。
【００４４】
加工方法としては、測定に使用しない２Ｌマリネリ容器を金型にして発泡成形するか２Ｌマリネリ容器の内部形状に発泡ポリスチレンの板材を切削加工しても良い。治具のサイズは、内装袋を挟むことから、２Ｌマリネリ容器の内部サイズに対して数ｍｍ程度小さい方が好ましい。
【００４５】
以上の様な本発明にかかわる治具を、前述のポリエチレン製の内装袋の２重にした内側に入れ、その状態で２Ｌマリネリ容器内部に押し込み成形物を離すことで、２Ｌマリネリ容器内部によりフィットした内装を施すことができる。
【００４６】
以上の様に、本発明に係るガンマ線放射能測定用の飲料水試料を充填する方法によれば、２Ｌマリネリ容器の汚染防止用として装着した内装袋に飲料水試料を空隙の少ない状態で充填でき、精度の高い定量分析が可能である。また、破袋による液漏れの心配も無く、試料保管等のため内装袋に充填したまま一旦２Ｌマリネリ容器から取り出しても、再度２Ｌマリネリ容器に再現良く入れることが可能であり、内装袋の単価も低いのでコストの心配も無い利点を有している。
【００４７】
次に本発明を、具体的な実施例を挙げて以下に説明するが、本発明はこれらに限定するものでは無い。
【実施例１】
【００４８】
底面が丸底面タイプの市販ポリエチレン袋（ニッコー株式会社製、分別用＆ペダル用ポ
リ袋１５〜２０Ｌ用ＳＴ‐２、膜厚：１０μｍ）を２重に重ねたものを、２Ｌマリネリ容器内部に清浄なポリエチレン手袋をした手でできる限り空隙が無い様に装着し、その中に飲料水を２Ｌ容積標線まで充填した。そして、電子天秤（島津製作所製、ＵＷ４２００‐Ｈ）で予め秤量していた風袋量を差し引いて、飲料水の充填量を測定した結果を、表１に示す。なお、袋２枚の価格は約８円であった。
【実施例２】
【００４９】
前記実施例１の底面が丸底面タイプの市販ポリエチレン袋を２重に重ねたものに、２Ｌマリネリ容器内部のサイズより全体的に３〜５ｍｍ小さく切削成形した発泡ポリスチレンからなる治具を入れ、その状態で２Ｌマリネリ容器内部に押し込み、発泡ポリスチレン成形物を取り出した。そして、その中に飲料水を２Ｌ容積標線まで充填し、電子天秤（島津製作所製、ＵＷ４２００‐Ｈ）で予め秤量していた風袋量を差し引いて、飲料水の充填量を測定した結果を、表１に示す。
【００５０】
＜比較例１＞
底面が一般的な二折り面タイプの市販ポリエチレン袋（株式会社ジャパックス製、業務用ＭＡＸシリーズ２０Ｌ用、膜厚：１５μｍ）を２重に重ねたものを、２Ｌマリネリ容器内部に清浄なポリエチレン手袋をした手でできる限り空隙が無い様に装着し、その中に飲料水を２Ｌ容積標線まで充填した。そして、電子天秤（島津製作所製、ＵＷ４２００‐Ｈ）で予め秤量していた風袋量を差し引いて、飲料水の充填量を測定した結果を、表１に示す。なお、袋２枚の価格は約１６円であった。
【００５１】
＜比較例２＞
２Ｌマリネリ容器専用のポリ塩化ビニル製袋（セイコーＥＧ＆Ｇ株式会社製、２Ｌマリネリ容器用ビニールバック、膜厚：２００μｍ）１枚を、２Ｌマリネリ容器内部に清浄なポリエチレン手袋をした手でできる限り空隙が無い様に装着し、その中に飲料水を２Ｌ容積標線まで充填した。そして、電子天秤（島津製作所製、ＵＷ４２００‐Ｈ）で予め秤量していた風袋量を差し引いて、飲料水の充填量を測定した結果を、表１に示す。なお、袋１枚の価格は約２千４百円であった。
【００５２】
＜比較例３＞
２Ｌマリネリ容器専用のポリエチレン製袋（関谷理化株式会社、マリネリバッグＭＢ２Ｌ‐１００、膜厚：５０μｍ）１枚を、２Ｌマリネリ容器内部に清浄なポリエチレン手袋をした手でできる限り空隙が無い様に装着し、その中に飲料水を２Ｌ容積標線まで充填した。そして、電子天秤（島津製作所製、ＵＷ４２００‐Ｈ）で予め秤量していた風袋量を差し引いて、飲料水の充填量を測定した結果を、表１に示す。なお、袋１枚の価格は約１１０円であった。
【００５３】
次に、実施例１、２及び比較例１〜３の充填量と空隙量に関する評価結果表１を示す。
【００５４】
【表１】
2014066557.tif 000003
表１の結果から、本発明にかかわる実施例１は比較例３とほぼ同じ約５％の空隙率であるが、空隙量のバラツキ（相対標準偏差：ＲＳＤ）は約１／２と低く、その他実施例よりも空隙率は良好な結果となった。また、同じく本発明にかかわる実施例２は実施例１よりもさらに空隙率およびバラツキを小さくでき良好な結果となった。
【００５５】
次に、各実施例、比較例の飲料水が充填された内装袋の上部を結ぶ、或いはクリップ等で留めてから２Ｌマリネリ容器からいったん取り出し、その後、再度同じ２Ｌマリネリ容器の中に戻して、清浄なポリエチレン手袋をした手で内装袋の外側からできる限り空隙が無い様に装着した時の再現性に関する評価結果を表２に示す。
【００５６】
表１の結果から、本発明にかかわる実施例１は一旦取り出した後に、再度２Ｌマリネリ容器に戻しても再現良く装着可能であり、同じく本発明に関わる実施例２もほぼ同様な結果となった。それに対して、比較例１は再装着はできたが、初回に比べて空隙量が増加し、試料の水面は２Ｌ容積標線から約２０ｍｍ上昇した。また、比較例２と３は再装着ができなかった。
【００５７】
比較例１における再装着時の空隙量の増加原因は、内装袋の底面が二折り面タイプのため、２Ｌマリネリ容器の底面中心部の凸状部分にフィットさせることが初回時に比べより困難となり、大きな空隙が発生した影響である。比較例２と３の再装着ができなかった原因は、一旦取り出した後の内装袋の底面中心部が、水試料の自重により元々の形状とは逆の外側へ凸状に張り出し変化したため、２Ｌマリネリ容器の内部形状に合わせることが不可能となったためである。
【００５８】
次に、ＸＰＳ分析による各実施例の内装袋表面近傍の元素組成を評価した。使用装置と測定条件を以下に示す。また、ワイドスペクトルで検出された元素について、ナロースペクトルを測定した結果を表２示す。
【００５９】
【表２】
2014066557.tif 000004
ＸＰＳ分析装置；Ｑｕａｎｔｕｍ２０００（アルバック・ファイ社製）
測定条件      ；Ｘ線源；モノクロＡｌ、
Ｘ線出力；２５Ｗ（１５ｋＶ）、Ｘ線ビーム径：１００μｍ径
ワイドスペクトル
ステップ分解能／パスエネルギー／積算回数＝１．６ｋｅＶ／1８７．８５ｅＶ／３回
ナロースペクトル
ステップ分解能／パスエネルギー／積算回数＝０．１２５ｅＶ／５８．７０ｅＶ／５回
表２の結果から、本発明にかかわる実施例１と２と、比較例１で使用したポリエチレン袋面から検出された元素は、殆どポリエチレン由来のＣ元素であり、僅かに検出されたＯ元素は製袋加工時の熱による自然酸化由来と推察され、その他元素は不検出となったことから、製品の記載情報通り添加剤は含まれていないことを確認した。
【００６０】
また、比較例３で使用したポリエチレン袋面からは、Ｃ、Ｏ元素の他にＮ元素も検出され、スペクトル解析の結果、有機窒素化合物由来であり、有機酸アミド類の滑剤添加成分と推定された。比較例２の内装袋は材質がＰＶＣであるため、添加された可塑剤や安定剤由来と表面に付着しているタルク等のアンチブロッキング剤由来と考えられる元素が検出された。なお、各実施例の内装袋共に内／外側面で元素組成に差異は無かった。
【産業上の利用可能性】
【００６１】
国で放射能値を規制している食品群の中で特に規制の厳しい飲料水のガンマ線放射能測定をする場合、使用する２Ｌマリネリ容器に汚染防止用の内装袋を装着して飲料水試料を充填した時の空隙量を少なくし、試料の保管等で一旦試料が充填された状態のまま内装袋を取り出しても、再現良く再度測定することが可能であり、安価で効率的に高い定量精度が得られるガンマ線放射能測定用の飲料水試料を充填する方法。
【符号の説明】
【００６２】
１・・・２重ポリエチレン袋
２・・・２Ｌマリネリ容器
３・・・２Ｌ容積標線
４・・・治具
５・・・蓋
６・・・飲料水試料
７・・・発生した空隙の一部分
【図１】
2014066557.tif 000005
【図２】
2014066557.tif 000006
【図３】
2014066557.tif 000007
【図４】
2014066557.tif 000008